(57)【特許請求の範囲】
【請求項１】
商品収納庫の外壁部の内側に配設される自動販売機の断熱装置であって、前記外壁部の背面の内側に配設される板状の背面断熱材と、前記外壁部の背面に隣接する外壁部の側面、天面または底面に配設される板状の隣接面断熱材と、を有し、
前記隣接面断熱材又は前記背面断熱材に、一部分が他の部分より弾性係数が小さい部分を一体形成して設け、前記隣接面断熱材と前記背面断熱材とを外壁部に組み付けた際、前記弾性係数が小さい部分が弾性変形した状態で当接している
ことを特徴とする自動販売機の断熱装置。
【請求項２】
前記弾性係数の小さい部分が前記隣接面断熱材又は前記背面断熱材から突出した１つ又は複数の突部からなることを特徴とする請求項１記載の自動販売機の断熱装置。
【請求項３】
請求項２に記載の自動販売機の断熱装置に用いられる前記突部を有する断熱材を製造する断熱材の製造方法であって、前記突部に対応する窪み部が形成された枠体内、または、中子により前記突部に対応する窪み部が形成された枠体内に、発泡性樹脂が注入されることにより、前記突部を有する断熱材を一度に一体成形することを特徴とする自動販売機の断熱材の製造方法。
【発明の詳細な説明】
【技術分野】
【０００１】
本発明は、自動販売機の断熱装置および自動販売機の断熱材の製造方法に関する。
【背景技術】
【０００２】
冷却商品（いわゆるコールド商品）や加温商品（いわゆるホット商品）を販売する自動販売機では、前面扉（外扉とも称せられる）を開閉自在に支持する略箱形の自動販売機本体に、商品を収納している商品収納庫が設けられており、この商品収納庫の外殻部分が断熱構造とされている。
【０００３】
図２３および図２４は、自動販売機本体の商品収納庫が設けられている箇所を簡略的に示す平面断面図および要部拡大平面断面図であり、これらの図における、１は自動販売機本体、２は商品が収納される商品収納庫、３は商品収納庫２の外壁部、である。なお、一般には、商品収納庫２の外壁部は、自動販売機本体１の外壁部と、底面部以外の箇所（すなわち、背面、左右側面、天面）では共用されている。また、図示しないが、商品収納庫２の前面開口部が断熱構造の内扉で開閉可能とされている。
【０００４】
図２３に示すように、商品収納庫２の外壁部３は、前面部が開口された略箱形状の金属板から構成されており、外壁部３の各面の内側に板状の断熱材４（４Ａ、４Ｂ、４Ｃ）が配設されることにより断熱装置が構成されている。つまり、商品収納庫２の外壁部３の背面３ａの内側に板状の背面断熱材４Ａが配設され、外壁部３の左側面３ｂの内側に板状の左側面断熱材４Ｂが配設され、外壁部３の右側面３ｃの内側に板状の右側面断熱材４Ｃが配設され、これらの外壁部３および断熱材４により断熱装置が構成されている。なお、商品収納庫２の外壁部３の左右前端部３ｄ、３ｅは内側に屈曲され、左側面断熱材４Ｂや右側面断熱材４Ｃの前端部の配設位置を規制している。
【０００５】
断熱材４は、商品収納庫２の外壁部３の大きさにほぼ対応した寸法に形成されるが、全く同一寸法を目指して断熱材４を形成すると、外壁部３や断熱材４の製造時の寸法誤差により、断熱材４が外壁部３の内側に収納できなかったり、断熱材４を圧縮しながら外壁部３の内側に収納することとなって多くの手間や時間がかかったりすることがある。したがって、このような組み付け時の作業性などを考慮して、断熱材４は外壁部３の内側の寸法よりも僅かではあるが小さく製造され、確実に、かつ容易に外壁部３の内側に収納できるよう図られる。
【０００６】
このため、断熱材４（４Ａ、４Ｂ、４Ｃ）同士を合わせる箇所（自動販売機本体１の左右奥端部）では、図２２に示すように、断熱材４Ａ、４Ｂ、４Ｃの間に隙間Ｓが発生し、このままでは、この隙間Ｓから商品収納庫２の熱が漏洩したり、外部からの熱が侵入したりする。これに対処する方法として、図２５に示すように、従来は、左右の側面断熱材４Ｂ、４Ｃの後端部にスポンジＰやパッキンを貼り付け、スポンジＰやパッキンを圧縮変形させるように配設して隙間Ｓを埋めたり、図２６（ａ）、（ｂ）に示すように、隙間Ｓの内側部分にスポンジＰやパッキンを貼り付けて隙間Ｓを覆ったりしている。
【０００７】
なお、自動販売機の断熱構造が開示されている文献としては、特許文献１等がある。
【先行技術文献】
【特許文献】
【０００８】
【特許文献１】特開平１０−１１６３８５号公報
【発明の概要】
【発明が解決しようとする課題】
【０００９】
しかしながら、図２５や図２６（ａ）、（ｂ）に示すように、スポンジＰやパッキンを貼り付ける場合には、上下方向に細長くて腰がないスポンジＰやパッキンを側面断熱材４Ｂ、４Ｃの後端部や、隙間Ｓに対応する箇所に真直ぐに貼り付けなければならないので、作業を行う者に熟練を要して、品質が安定しなくて断熱性能が低下したり、多くの作業時間を要して作業能率の低下を招いたりする課題があった。
【００１０】
また、自動販売機をリサイクルするための解体時等に、スポンジＰやパッキンを剥がす作業が必要となるとともに、スポンジＰやパッキンの一部が断熱材に付着して残ってしまうため、付着したスポンジＰやパッキンの部分を取除く作業が必要となる場合もあり、これらの作業にも多くの作業時間を要していた。
【００１１】
本発明は上記課題を解決するもので、品質が安定しなくて断熱性能が低下したり、多くの作業時間を要して作業能率の低下を招いたりすることがない、自動販売機の断熱装置を提供することを目的とするものである。
【課題を解決するための手段】
【００１２】
上記課題を解決するために、本発明は、商品収納庫の外壁部の内側に配設される自動販売機の断熱装置であって、前記外壁部の背面の内側に配設される板状の背面断熱材と、前記外壁部の背面に隣接する外壁部の側面、天面または底面に配設される板状の隣接面断熱材と、を有し、前記隣接面断熱材又は前記背面断熱材に、一部分が他の部分より弾性係数が小さい部分を一体形成して設け、前記隣接面断熱材と前記背面断熱材とを外壁部に組み付けた際、前記弾性係数が小さい部分が弾性変形した状態で当接していることを特徴とする。
【００１３】
上記構成により、商品収納庫の外壁部の内側に、背面断熱材と隣接面断熱材とを配設すると、前記隣接面断熱材の後端部と、これに対向する前記背面断熱材の端部との少なくとも一方に形成した弾性係数が小さい部分が、対向する断熱材に弾性変形した状態で当接する。これにより、断熱材同士を合わせる箇所、すなわち商品収納庫の角部での隙間が前記弾性係数が小さい部分で埋められたり塞がれたりする。この場合に、前記弾性係数が小さい部分は断熱材自体に形成されているので、作業者に熟練を要したりすることがなく、また、断熱材の組み付け作業も容易かつ短時間で行うことができる。
【００１４】
また、本発明は、前記弾性係数の小さい部分が前記隣接面断熱材又は前記背面断熱材から突出した１つ又は複数の突部からなることを特徴とする。この構成により、簡単な構成で、前記弾性係数が小さい部分をなすことができる。
【００１５】
また、本発明は、上記の自動販売機の断熱装置に用いられる前記突部を有する断熱材を製造する断熱材の製造方法であって、前記突部に対応する窪み部が形成された枠体内、または、中子により前記突部に対応する窪み部が形成された枠体内に、発泡性樹脂が注入されることにより、前記突部を有する断熱材を一度に一体成形することを特徴とする。この製造方法によれば、比較的簡単な方法で、突部を有する断熱材を一度に一体成形することができて、作業能率も良好となる。
【発明の効果】
【００１６】
以上のように本発明によれば、前記隣接面断熱材又は前記背面断熱材の一部分が他の部分より弾性係数が小さい部分を設けることにより、断熱材同士が対向する（合わせられた）箇所、すなわち商品収納庫の角部（コーナー部）での隙間を前記弾性係数が小さい部分で良好に埋めたり塞いだりすることができて、良好な断熱性能を得ることができる。さらに、前記弾性係数が小さい部分は断熱材自体に一体形成されているので、作業者に熟練を要したりすることがなく、また、断熱材の組み付け作業も容易かつ短時間で行うことができ、作業能率も良好となる。さらに、自動販売機をリサイクルするための解体時等に、従来行っていたようなスポンジやパッキンを剥がす作業や、付着したスポンジやパッキンの部分を取除く作業も不要となり、リサイクルのための解体作業の作業能率も良好となる。
【図面の簡単な説明】
【００１７】
【図１】本発明の第１の実施の形態に係る自動販売機の断熱装置（詳しくは、断熱装置を備えた自動販売機の、自動販売機本体の商品収納庫が設けられている箇所）の平面断面図である。
【図２】同第１の実施の形態に係る自動販売機の断熱装置の要部拡大平面断面図である。
【図３】同第１の実施の形態に係る自動販売機の断熱装置の要部拡大平面断面図である。
【図４】同第１の実施の形態に係る自動販売機の断熱装置における断熱材の変形例を示す要部拡大平面断面図である。
【図５】同第１の実施の形態に係る自動販売機の断熱装置における断熱材の製造方法を示す要部拡大断面図である。
【図６】本発明の第２の実施の形態に係る自動販売機の断熱装置の要部拡大平面断面図である。
【図７】（ａ）〜（ｃ）は、それぞれ同第２の実施の形態に係る自動販売機の断熱装置における断熱材の変形例を示す要部拡大平面断面図である。
【図８】同第２の実施の形態に係る自動販売機の断熱装置における断熱材の製造方法を示す要部拡大断面図である。
【図９】本発明の第３の実施の形態に係る自動販売機の断熱装置の要部拡大平面断面図である。
【図１０】（ａ）〜（ｃ）は、それぞれ同第３の実施の形態に係る自動販売機の断熱装置における断熱材の変形例を示す要部拡大平面断面図である。
【図１１】同第３の実施の形態に係る自動販売機の断熱装置における断熱材の製造方法を示す要部拡大断面図である。
【図１２】本発明の第４の実施の形態に係る自動販売機の断熱装置の要部拡大平面断面図である。
【図１３】（ａ）〜（ｃ）は、それぞれ同第４の実施の形態に係る自動販売機の断熱装置における断熱材の変形例を示す要部拡大平面断面図である。
【図１４】同第４の実施の形態に係る自動販売機の断熱装置における断熱材の製造方法を示す要部拡大断面図である。
【図１５】本発明の第５の実施の形態に係る自動販売機の断熱装置の要部拡大平面断面図である。
【図１６】同第５の実施の形態に係る自動販売機の断熱装置における断熱材の変形例を示す要部拡大平面断面図である。
【図１７】同第５の実施の形態に係る自動販売機の断熱装置における断熱材の製造方法を示す要部拡大断面図である。
【図１８】本発明の第６の実施の形態に係る自動販売機の断熱装置（詳しくは、断熱装置を備えた自動販売機の、自動販売機本体の商品収納庫が設けられている箇所）の平面断面図である。
【図１９】同第６の実施の形態に係る自動販売機の断熱装置の要部拡大平面断面図である。
【図２０】同第６の実施の形態に係る自動販売機の断熱装置の要部拡大平面断面図である。
【図２１】本発明の第７の実施の形態に係る自動販売機の断熱装置における断熱材の平面断面図である。
【図２２】同第７の実施の形態に係る自動販売機の断熱装置の要部拡大平面断面図である。
【図２３】従来の自動販売機の断熱装置（詳しくは、従来の断熱装置を備えた自動販売機の、自動販売機本体の商品収納庫が設けられている箇所）の平面断面図である。
【図２４】同従来の自動販売機の断熱装置の要部拡大平面断面図である。
【図２５】同従来の自動販売機の断熱装置の要部拡大平面断面図である。
【図２６】（ａ）および（ｂ）は、それぞれ同従来の自動販売機の断熱装置における断熱材の変形例を示す要部拡大平面断面図である。
【発明を実施するための形態】
【００１８】
以下、本発明の実施の形態に係る自動販売機の断熱装置および自動販売機の断熱材の製造方法を図面に基づき説明する。なお、従来の自動販売機の構成要素と略同様な機能のものには同符号を付す。
【００１９】
図１および図２は、本発明の実施の形態に係る断熱装置を備えた自動販売機の、自動販売機本体の商品収納庫が設けられている箇所を簡略的に示す平面断面図および要部拡大平面断面図である、これらの図における、１は自動販売機本体、２は商品が収納される商品収納庫、３は商品収納庫２の外壁部、である。なお、一般には、商品収納庫２の外壁部は、自動販売機本体１の外壁部と、底面部以外の箇所（すなわち、背面、左右側面、天面）では共用されている。また、図示しないが、商品収納庫２の前面開口部が断熱構造の内扉で開閉可能とされている。
【００２０】
図１に示すように、商品収納庫２の外壁部３は、前面部が開口された略箱形状の金属板から構成されており、外壁部３の各面の内側に板状の断熱材４（４Ａ、４Ｂ、４Ｃ）が配設されることにより断熱装置が構成されている。つまり、商品収納庫２の外壁部３の背面３ａの内側に板状の背面断熱材４Ａが配設され、外壁部３の左側面３ｂの内側に一方の隣接面断熱材としての板状の左側面断熱材４Ｂが配設され、外壁部３の右側面３ｃの内側に他方の隣接面断熱材としての板状の右側面断熱材４Ｃが配設され、これらの外壁部３および断熱材４により断熱装置が構成されている。なお、商品収納庫２の外壁部３の左右前端部３ｄ、３ｅは内側に屈曲され、左側面断熱材４Ｂや右側面断熱材４Ｃの前端部の配設位置を規制している。また、この実施の形態では、背面断熱材４Ａが、商品収納庫２の外壁部３における背面３ａの全幅にわたって延びるように配設されており、左側面断熱材４Ｂの後端部および右側面断熱材４Ｃの後端部が、背面断熱材４Ａの左右の端部の前面部分に対向する姿勢で配設されている。また、各断熱材４（４Ａ、４Ｂ、４Ｃ）は、発泡ウレタンなどの断熱性および弾性を有するなどの発泡性樹脂材などで構成されている。
【００２１】
ここで、左側面断熱材４Ｂの後端部と右側面断熱材４Ｃの後端部とには、背面断熱材４Ａの左右の端部の前面部分に向けて突出して弾性変形した状態で当接する突部（左側面断熱材４Ｂおよび右側面断熱材４Ｃにおける一部分が他の部分より弾性係数が小さい部分である低弾性部の一例）５（５Ａ）がそれぞれ一体形成されている。この実施の形態では、前記突部５Ａは、内側（すなわち、左側面断熱材４Ｂは右側、右側面断熱材４Ｃは左側）ほど後方に突出する傾斜面で形成されており、左側面断熱材４Ｂと右側面断熱材４Ｃとを外壁部３の内側に配設した際に、前記突部５Ａが背面断熱材４Ａの左右の端部の前面部分に、弾性変形した状態で当接する。
【００２２】
上記構成により、商品収納庫２の外壁部３の内側に、まず背面断熱材４Ａを配設し、次に隣接面断熱材としての左側面断熱材４Ｂと右側面断熱材４Ｃとを配設すると、左側面断熱材４Ｂと右側面断熱材４Ｃとの後端部に形成した傾斜面からなる突部５（５Ａ）が、これに対向する背面断熱材４Ａの左右の端部の前面部分に、圧縮されて弾性変形した密接状態で当接する。これにより、断熱材４同士を突き合わせる箇所、すなわち商品収納庫３の角部（コーナー部）での隙間の一部が突部５（５Ａ）で埋められたり塞がれたりし、良好な断熱性を維持できる。また、この場合に、背面断熱材４Ａに対して、左側面断熱材４Ｂや右側面断熱材４Ｃは突部５（５Ａ）、すなわち、対向部分の一部だけで当接するので、組み付け作業も容易に行うことができる。また、突部５（５Ａ）は左側面断熱材４Ｂおよび右側面断熱材４Ｃに一体形成されているので、作業者に熟練を要したりすることがなく、また、左側面断熱材４Ｂおよび右側面断熱材４Ｃの組み付け作業も容易かつ短時間で行うことができる。すなわち、従来のように、断熱材にスポンジやパッキン、またはシール用の別部材などを貼り付ける場合には、作業を行う者に熟練を要して、品質が安定しなくて断熱性能が低下したり、多くの作業時間を要して作業能率の低下を招いたりする不具合があるが、本発明によればこのような不具合を発生することなく、能率よく組み付け作業を行うことができる。
【００２３】
さらに、突部５（５Ａ）は左側面断熱材４Ｂおよび右側面断熱材４Ｃに一体形成されているので、自動販売機をリサイクルするための解体時等に、従来行っていたようなスポンジやパッキンを剥がす作業や、付着したスポンジやパッキンの部分を取除く作業も不要となり、リサイクルのための解体作業の作業能率も良好となる。
【００２４】
図３に示す断熱装置では、突部５Ａが、内側ほど後方に突出する傾斜面で形成されている場合を述べたが、これに限るものではなく、図４に示すように、突部５Ａの内側寄り部分に平坦面５ａを形成したものを用いてもよい。
【００２５】
また、図示しないが、商品収納庫２の外壁部３の天面部の内側に板状の天面断熱材が配設され、商品収納庫２の外壁部３の底面部の内側に板状の底面断熱材が配設されている。そして、これらも同様な構造とする（すなわち、天面断熱材や底面断熱材の後端部にも同様の構造の突部を形成する）ことにより、良好な断熱性を有する商品収納庫２を得ることができ、また、能率よく組み付け作業を行うことができ、リサイクルのための解体作業の作業能率も良好となる。
【００２６】
前記左側面断熱材４Ｂや右側面断熱材４Ｃ、あるいは天面断熱材や底面断熱材は以下のように製造することが好ましい。図５に簡略的に示すように、例えば、平板状の上枠７Ａと、前記突部５（５Ａ）に対応して傾斜面からなる窪み部６Ａが形成された下枠８Ａとからなる枠体９Ａの内部に、発泡性ウレタンなどの発泡性樹脂を注入する。これにより、前記突部５（５Ａ）を有する断熱材４Ｂ、４Ｃなどをそれぞれ一度に一体成形する。この製造方法によれば、比較的簡単な方法で、突部５（５Ａ）を有する断熱材４を一度に一体成形することができて、製造工程での作業能率も良好となる。
【００２７】
また、突部５の形状を傾斜面に代えて、図６に示すように、左側面断熱材４Ｂや右側面断熱材４Ｃの後端部の内側寄り部分のみに、背面断熱材４Ａの左右の端部の前面部分に向けて突出して弾性変形した状態で当接する低弾性部としての突部（凹凸部）５（５Ｂ）をそれぞれ一体形成してもよい（第２の実施の形態）。この図６に示す断熱装置では、突部５Ｂが、後方に断面矩形状に突出する形状とされている。
【００２８】
この構成によっても、商品収納庫２の外壁部３の内側に、背面断熱材４Ａと左側面断熱材４Ｂと右側面断熱材４Ｃとを配設すると、左側面断熱材４Ｂと右側面断熱材４Ｃとの突部５（５Ｂ）が、これに対向する背面断熱材４Ａの左右の端部の前面部分に、圧縮されて弾性変形した密接状態で当接する。これにより、断熱材４同士を突き合わせる箇所、すなわち商品収納庫３の角部（コーナー部）での隙間の一部が突部で埋められたり塞がれたりし、断熱性を良好に維持することができる。また、この場合に、背面断熱材４Ａに対して、左側面断熱材４Ｂや右側面断熱材４Ｃは突部５（５Ｂ）、すなわち、対向部分の一部だけで当接するので、組み付け作業も容易に行うことができる。また、突部５（５Ｂ）は左側面断熱材４Ｂおよび右側面断熱材４Ｃに一体形成されているので、作業者に熟練を要したりすることがなく、また、左側面断熱材４Ｂおよび右側面断熱材４Ｃの組み付け作業も容易かつ短時間で行うことができる。さらに、突部５（５Ｂ）は左側面断熱材４Ｂおよび右側面断熱材４Ｃに一体形成されているので、自動販売機をリサイクルするための解体時等に、従来行っていたようなスポンジやパッキンを剥がす作業や、付着したスポンジやパッキンの部分を取除く作業も不要となり、リサイクルのための解体作業の作業能率も良好となる。
【００２９】
なお、図６に示す断熱装置の場合には、突部５Ｂが、断面矩形状に形成されている場合を述べたが、これに限るものではなく、図７（ａ）に示すように、突部５Ｂの先端部部分に傾斜面５ｂを形成したり、図７（ｂ）に示すように、突部５Ｂの断面形状を傾斜形状としたり、図７（ｃ）に示すように、突部５Ｂの断面形状を傾斜形状とするとともに先端部に平坦部５ｃを形成してもよい。
【００３０】
また、図示しないが、商品収納庫２の外壁部３の天面部の内側に板状の天面断熱材が配設され、商品収納庫２の外壁部３の底面部の内側に板状の底面断熱材が配設されている。そして、これらも同様な構造とする（すなわち、天面断熱材や底面断熱材の後端部にも同様の構造の突部を形成する）ことにより、良好な断熱性を有する商品収納庫２を得ることができ、また、能率よく組み付け作業を行うことができ、リサイクルのための解体作業の作業能率も良好となる。
【００３１】
前記左側面断熱材４Ｂや右側面断熱材４Ｃ、あるいは天面断熱材や底面断熱材は、図８に簡略的に示すように、例えば、平板状の上枠７Ｂと、前記突部５（５Ｂ）に対応して傾斜面からなる窪み部６Ｂが形成された下枠８Ｂとからなる枠体９Ｂの内部に、発泡性ウレタンなどの発泡性樹脂を注入することにより製造する。この製造方法によれば、比較的簡単な方法で、突部５（５Ｂ）を有する断熱材４を一度に一体成形することができて、製造工程での作業能率も良好となる。
【００３２】
上記の第１、第２の実施の形態では、突部５Ａ、５Ｂを、左側面断熱材４Ｂや右側面断熱材４Ｃの後端部の内側寄り部分のみに形成した場合を述べたが、これに限るものではなく、低弾性部としての突部５（５Ｃ、５Ｄ）を、左側面断熱材４Ｂや右側面断熱材４Ｃなどの後端部の複数箇所に設けてもよい。図９に示す断熱装置では、突部５（５Ｃ）を、断熱材４である左側面断熱材４Ｂや右側面断熱材４Ｃの後端部の内側寄り部分と外側寄り部分との２箇所に一体形成している（第３の実施の形態）。また、図１２に示す断熱装置では、突部５（５Ｄ）を、断熱材４である左側面断熱材４Ｂや右側面断熱材４Ｃの後端部の内側寄り部分と外側寄り部分と中間部分との３箇所に一体形成している（第４の実施の形態）。
【００３３】
これらの構成によれば、断熱材同士（左側面断熱材４Ｂと背面断熱材４Ａ、および右側面断熱材４Ｃと背面断熱材４Ａ）が対向する箇所に、突部５Ａ、５Ｂが１つだけ形成されている場合と比較して、多くの突部５Ｃ、５Ｄが形成されるため、断熱性能を向上させることが可能となる。
【００３４】
なお、図９、図１２に示す断熱装置の場合には、突部５Ｂが、断面矩形状に形成されている場合を述べたが、これに限るものではなく、図１０（ａ）、図１３（ａ）に示すように、突部５Ｃ、５Ｄの先端部部分に左右の端部ほど突出するように傾斜面５ｄを形成したり、図１０（ｂ）、図１３（ｂ）に示すように、突部５Ｃ、５Ｄの断面形状を傾斜形状としたり、図１０（ｃ）、図１３（ｃ）に示すように、突部５Ｃ、５Ｄの断面形状を傾斜形状とするとともに先端部に平坦部５ｅを形成してもよい。
【００３５】
また、図示しないが、商品収納庫２の外壁部３の天面部の内側に板状の天面断熱材が配設され、商品収納庫２の外壁部３の底面部の内側に板状の底面断熱材が配設されている。そして、これらも同様な構造とする（すなわち、天面断熱材や底面断熱材の後端部にも同様の構造の突部を形成する）ことにより、良好な断熱性を有する商品収納庫２を得ることができ、また、能率よく組み付け作業を行うことができ、リサイクルのための解体作業の作業能率も良好となる。
【００３６】
前記左側面断熱材４Ｂや右側面断熱材４Ｃ、あるいは天面断熱材や底面断熱材は、図１１や図１４に簡略的に示すように、断熱材４に対応する箱型の凹部を有する下枠８Ｃの内部に、突部５Ｃ、５Ｄ間の窪み部分に対応する形状の中子１０、１１を配設した状態で、平板状の上枠７Ｃを組み付け、次に、これらの上枠７Ｃと下枠８Ｃとの内部に、発泡性ウレタンなどの発泡性樹脂を注入することにより製造する。この製造方法によれば、比較的簡単な方法で、突部５（５Ｃ、５Ｄ）を有する断熱材４を一度に一体成形することができて、製造工程での作業能率も良好となる。
【００３７】
上記の第１〜第４の実施の形態では、突部５Ａ〜５Ｄを、左側面断熱材４Ｂや右側面断熱材４Ｃに形成した場合を述べたが、これに限るものではなく、図１５、図１６に示すように、低弾性部としての突部５（５Ｅ）を、左側面断熱材４Ｂや右側面断熱材４Ｃの後端部に対向する、背面断熱材４Ａの左右の端部の前面部分に、一体形成してもよい（第５の実施の形態）。
【００３８】
この場合には、商品収納庫２の外壁部３の内側に、背面断熱材４Ａと左側面断熱材４Ｂと右側面断熱材４Ｃとを配設すると、背面断熱材４Ａの左右の端部の前面部分に一体形成した突部５（５Ｅ）が、左側面断熱材４Ｂと右側面断熱材４Ｃとの後端部に、圧縮されて弾性変形した密接状態で当接する。これにより、断熱材４同士を突き合わせる箇所、すなわち商品収納庫３の角部（コーナー部）での隙間の一部が突部で埋められたり塞がれたりし、断熱性を良好に維持することができる。
【００３９】
また、この場合に、背面断熱材４Ａに対して、左側面断熱材４Ｂや右側面断熱材４Ｃは突部５（５Ｅ）、すなわち、対向部分の一部だけで当接するので、組み付け作業も容易に行うことができる。また、突部５（５Ｅ）は背面断熱材４Ａに一体形成されているので、作業者に熟練を要したりすることがなく、また、左側面断熱材４Ｂおよび右側面断熱材４Ｃの組み付け作業も容易かつ短時間で行うことができる。さらに、突部５（５Ｅ）は背面断熱材４Ａに一体形成されているので、自動販売機をリサイクルするための解体時等に、従来行っていたようなスポンジやパッキンを剥がす作業や、付着したスポンジやパッキンの部分を取除く作業も不要となり、リサイクルのための解体作業の作業能率も良好となる。
【００４０】
なお、図１５、図１６に示す場合には、突部５（５Ｅ）が断面半円形状とされているが、これに限るものではなく、傾斜面形状や、矩形形状など、断面で一部が圧接する形状であればよい。また、突部５（５Ｅ）を形成する位置も、図１５に示すように、背面断熱材４Ａの左右の端部の前面部分における、左側面断熱材４Ｂや右側面断熱材４Ｃの後端部の内側寄り部分に対向する箇所に形成したり、中央部に形成したりするとよい。また、突部５（５Ｅ）の数も、背面断熱材４Ａの左右の端部の前面部分における、左側面断熱材４Ｂや右側面断熱材４Ｃの後端部に対向する箇所において、１つ形成してもよいし、２つ以上形成してもよい。
【００４１】
また、図示しないが、商品収納庫２の外壁部３の天面部の内側に板状の天面断熱材が配設され、商品収納庫２の外壁部３の底面部の内側に板状の底面断熱材が配設されている。そして、これらも同様な構造とする（すなわち、背面断熱材４Ａの上端部または下端部の前面部分にも同様の構造の突部を形成する）ことにより、良好な断熱性を有する商品収納庫２を得ることができ、また、能率よく組み付け作業を行うことができ、リサイクルのための解体作業の作業能率も良好となる。
【００４２】
前記背面断熱材４Ａは以下のように製造することが好ましい。図１７に簡略的に示すように、例えば、平板状の上枠７Ｅと、前記突部５（５Ｅ）に対応した窪み部６Ｅが形成された下枠８Ｅとからなる枠体９Ｅの内部に、発泡性ウレタンなどの発泡性樹脂を注入する。これにより、前記突部５（５Ｅ）を有する背面断熱材４Ａを一度に一体成形する。この製造方法によれば、比較的簡単な方法で、突部５（５Ｅ）を有する背面断熱材４Ａを一度に一体成形することができて、製造工程での作業能率も良好となる。
【００４３】
上記の第１〜第５の実施の形態では、背面断熱材４Ａが、商品収納庫２の外壁部３における背面３ａの全幅にわたって延びるように配設され、左側面断熱材４Ｂの後端部および右側面断熱材４Ｃの後端部が、背面断熱材４Ａの左右の端部の前面部分に対向する姿勢で配設されている場合を述べたが、これに限るものではない。すなわち、図１８〜図２０に示すように、左側面断熱材４Ｂおよび右側面断熱材４Ｃが、商品収納庫２の外壁部３における左側面３ｂおよび右側面３ｃの全幅にわたって延びるように配設され、背面断熱材４Ａの左端部と右端部とが、左側面断熱材４Ｂの後端部内面および右側面断熱材４Ｃの後端部内面に対向する姿勢で配設されていてもよい（第６の実施の形態）。
【００４４】
この場合には、例えば、図１８〜図２０に示すように、背面断熱材４Ａの左端部と右端部とに、左側面断熱材４Ｂの後端部内面および右側面断熱材４Ｃの後端部内面に向けて突出して弾性変形した状態で当接する低弾性部としての突部（凹凸部）５（５Ｆ）を一体形成している。なお、前記突部５Ｆは、図２０に示すように、前寄り部分ほど左側または右側に突出する傾斜面で形成したり、断面矩形状に形成したり、矩形形状や半円形状など、断面で一部が圧接する形状であればよい。また、突部５（５Ｆ）の数も、背面断熱材４Ａの左端部または右端部において、１つ形成してもよいし、２つ以上形成してもよい。また、これに代えて、左側面断熱材４Ｂの後端部内面および右側面断熱材４Ｃの後端部内面に突部（凹凸部）５を一体形成してもよい（図示せず）。
【００４５】
この構成によっても、断熱材４同士を突き合わせる箇所、すなわち商品収納庫３の角部（コーナー部）での隙間の一部が突部５（５Ｆ）で埋められたり塞がれたりし、断熱性を良好に維持することができる。また、背面断熱材４Ａの左端部と右端部は突部５（５Ｆ）、すなわち、対向部分の一部だけで当接するので、組み付け作業も容易に行うことができる。また、突部５（５Ｆ）は背面断熱材４Ａに一体形成されているので、作業者に熟練を要したりすることがなく、また、背面断熱材４Ａの組み付け作業も容易かつ短時間で行うことができる。さらに、突部５（５Ｆ）は背面断熱材４Ａに一体形成されているので、自動販売機をリサイクルするための解体時等に、従来行っていたようなスポンジやパッキンを剥がす作業や、付着したスポンジやパッキンの部分を取除く作業も不要となり、リサイクルのための解体作業の作業能率も良好となる。
【００４６】
また、上記第１〜第６の実施の形態では、断熱材４同士を突き合わせる箇所に、低弾性部としての突部５を形成した場合を述べたが、これに限るものではなく、図２２、図２３に示すように、左側面断熱材４Ｂの後端部や右側面断熱材４Ｃの後端部に多数の孔１１を形成したり、切欠部１２を形成したりするなどして、その一部分が他の部分より弾性係数が小さい低弾性部を設け、前記隣接面断熱材と前記背面断熱材とを外壁部に組み付けた際、前記低弾性部１３が弾性変形した状態で当接しているよう構成すればよい。これによっても、上記実施の形態と同様な作用効果を得ることができる。
【００４７】
なお、上記実施の形態では、断熱装置が、自動販売機の商品収納庫の外壁部の内側に配設されるものの場合を述べ、この場合は特に好適に用いることができるが、これに限るものではなく、この断熱装置の構造や製造方法を、一般の冷蔵庫の断熱装置や、ショーケースの断熱装置として使用することも可能である。
【符号の説明】
【００４８】
１      自動販売機本体
２      商品収納庫
３      外壁部
３ａ    背面
３ｂ    左側面
３ｃ    右側面
４      断熱材
４Ａ    背面断熱材
４Ｂ    左側面断熱材
４Ｃ    右側面断熱材
５（５Ａ〜５Ｆ）    突部
６Ａ〜６Ｅ    窪み部
７Ａ〜７Ｆ    上枠
８Ａ〜８Ｆ    下枠
９Ａ〜９Ｆ    枠体
１０、１１    中子
【図１】
0005653273.tif 000002
【図２】
0005653273.tif 000003
【図３】
0005653273.tif 000004
【図４】
0005653273.tif 000005
【図５】
0005653273.tif 000006
【図６】
0005653273.tif 000007
【図７】
0005653273.tif 000008
【図８】
0005653273.tif 000009
【図９】
0005653273.tif 000010
【図１０】
0005653273.tif 000011
【図１１】
0005653273.tif 000012
【図１２】
0005653273.tif 000013
【図１３】
0005653273.tif 000014
【図１４】
0005653273.tif 000015
【図１５】
0005653273.tif 000016
【図１６】
0005653273.tif 000017
【図１７】
0005653273.tif 000018
【図１８】
0005653273.tif 000019
【図１９】
0005653273.tif 000020
【図２０】
0005653273.tif 000021
【図２１】
0005653273.tif 000022
【図２２】
0005653273.tif 000023
【図２３】
0005653273.tif 000024
【図２４】
0005653273.tif 000025
【図２５】
0005653273.tif 000026
【図２６】
0005653273.tif 000027